(57)【要約】【課題】  凝縮効率を高めて乾燥性能を向上し得る洗濯乾燥機の凝縮装置を提供しようとする。【解決手段】  内部に収容空間を形成したケーシング１１と、該ケーシング１１の内部に収容されるタブ２１と、該タブ２１の内部に空気が流入される空気管４８と、該空気管４８を沿って空気が流動するように送風する送風ファン４７と、前記空気管４８の空気を前記タブ２１の流入前に加熱するヒータ４９と、を具備した洗濯乾燥機であって、一方端は前記タブ２１の下部に連結され、他方端は上方に延長して装着される凝縮管５１と、前記凝縮管５１の内部に凝縮水を供給する凝縮水供給管４３と、前記凝縮管５１の内周壁面を沿って相互離隔して穿孔形成された複数の分散孔７８と、前記凝縮水の流動方向を沿って前記凝縮水供給管４３の下方に配置され、該凝縮水供給管４３から供給された凝縮水を分散して落下する凝縮水収容分散部６０と、を含んで洗濯乾燥機の凝縮装置を構成する。【選択図】      図１
2005124787.tif 000002
【特許請求の範囲】
【請求項１】
内部に収容空間が形成されたケーシングと、該ケーシングの内部に収容されるタブと、前記タブに連結され、該タブの内部に空気が流入される空気管と、該空気管を沿って空気が流動するように送風する送風ファンと、前記空気管の空気を前記タブの流入前に加熱するヒータと、を含んで構成される洗濯乾燥機であって、
一方端は前記タブの下部に連結され、他方端は上方向に延長されて装着された凝縮管と、
該凝縮管の上部領域に連結されることで、該凝縮管の内部に凝縮水を供給する凝縮水供給管と、
前記凝縮管の内側壁面を沿って相互離隔して複数の分散孔が穿孔形成され、前記凝縮水の流動方向を沿って前記凝縮水供給管の下方側に配置されて、前記凝縮水供給管から供給された凝縮水を分散して落下する凝縮水収容分散部と、を含んで構成されることを特徴とする洗濯乾燥機の凝縮装置。
【請求項２】
前記凝縮水収容分散部は、中央に空気が通過する通気孔が穿孔形成された環状の内側リブと、該内側リブの半径方向に所定径及び間隔を有するように、その内側リブと同心に拡大形成された外側リブと、それら外側リブと内側リブ間の下方が相互連結して形成された連結底部と、該連結低部上面に前記凝縮水が流動されることで、該凝縮水が分散落下するように、所定間隔を有して複数穿孔形成された分散孔と、を包含して構成されることを特徴とする請求項１記載の洗濯乾燥機の凝縮装置。
【請求項３】
前記凝縮水収容分散部材の中央には、前記内側リブの内側に空気の通過する通気孔が穿孔形成され、該通気孔の外側と前記内側リブ間には、凝縮水を分散落下する少なくとも一つの内側分散部が形成され、該内側分散部の底面には前記連結底部が形成されることを特徴とする請求項２記載の洗濯乾燥機の凝縮装置。
【請求項４】
前記連結底部には、凝縮水が落下するように、少なくとも一つの貫通孔が穿孔形成されることを特徴とする請求項２及び３記載の洗濯乾燥機の凝縮装置。
【請求項５】
前記凝縮水供給管は、前記外側リブの接線方向を沿って連結され、前記連結底部は、前記内側リブの周り方向を沿って前方に向かうほど、前記内側分散部に接近して形成されることを特徴とする請求項２及び３記載の洗濯乾燥機の凝縮装置。
【請求項６】
前記凝縮管は、断面円状に形成され、前記凝縮水供給管の連結領域から上下方向に所定長さ延長されることを特徴とする請求項１記載の洗濯乾燥機の凝縮装置。
【請求項７】
前記凝縮管の下部に一方端が連結され、他方端は前記タブの下部に連結される連結コルゲート管を更に含むことを特徴とする請求項６記載の洗濯乾燥機の凝縮装置。
【請求項８】
前記連結コルゲート管には、前記凝縮水が排出されるように、前記タブの排水管に連結排水管が連結されることを特徴とする請求項７記載の洗濯乾燥機の凝縮装置。
【請求項９】
前記凝縮管から拡大された流動断面積を有して形成され、一方側は前記凝縮管に連結され、他方側は前記送風ファンの吸入側に連結され、一方側に前記凝縮水供給管が結合される凝縮水給水口が穿孔形成されたチャンバーを更に含むことを特徴とする請求項１記載の洗濯乾燥機の凝縮装置。
【請求項１０】
前記凝縮水収容分散部は、中央に空気が通過するように所定直径の円孔が穿孔形成され、下方端が前記チャンバーの内部に接触されて、前記チャンバーと前記凝縮管の周囲を沿って凝縮水が流動されるように案内する円筒状に形成された凝縮水ガイドであることを特徴とする請求項２〜９の何れか一つに記載の洗濯乾燥機の凝縮装置。
【請求項１１】
前記凝縮水ガイドの上部には、前記円筒部の上方端から半径方向を沿って外側に傾斜して拡張され、前記凝縮水供給管から供給されて凝縮水が前記空気の通過される中央領域にあふれ流れるように案内する案内傾斜部が形成されることを特徴とする請求項１０記載の洗濯乾燥機の凝縮装置。
【請求項１２】
前記凝縮管には、内側壁から中心方向に突出された複数の突出部が所定間隔を有してそれぞれ突成されることを特徴とする請求項１記載の洗濯乾燥機の凝縮装置。
【請求項１３】
前記突出部は、内側壁面を沿って相互延長されたリブであることを特徴とする請求項１２記載の洗濯乾燥機の凝縮装置。
【請求項１４】
前記突出部は、前記凝縮管の上下方向を沿って螺旋状に形成されることを特徴とする請求項１２記載の洗濯乾燥機の凝縮装置。
【請求項１５】
前記突出部は、突出方向を沿って中心側に向かうほど上方向に傾斜して形成されることを特徴とする請求項１４記載の洗濯乾燥機の凝縮装置。
【発明の詳細な説明】
【技術分野】
【０００１】
本発明は、洗濯乾燥機の凝縮装置に係るもので、詳しくは、凝縮効率を高めて乾燥性能を向上し得る洗濯乾燥機の凝縮装置に関するものである。
【背景技術】
【０００２】
図１３は従来の洗濯乾燥機を示した断面図、図１４は図１３の凝縮管を示した拡大図で、図示されたように、従来の洗濯乾燥機は、内部に収容空間が形成されたケーシング１１と、該ケーシング１１の内部に収納されて洗濯水を収容する筒状のタブ２１と、該タブ２１の内部水平方向に、回転軸を中心に回転自在に軸支された回転ドラム３１と、該回転ドラム３１を駆動するためのドラム駆動モータ３３と、を含んで構成される。
【０００３】
又、ケーシング１１は、六面体状に形成され、該ケーシング１１の前面には洗濯物が出入される出入口が穿孔形成されることで、該出入口を開閉するドア１３が装着されている。
又、タブ２１は、一方側が開放された筒状に形成され、その開放領域は前記ケーシング１１の出入口に対応して開放されている。タブ２１の上方側及び下方側には、タブ２１を緩衝支持するスプリング部材２３及びダンパー２５がそれぞれ装着され、タブ２１の下部一方側には洗濯水を排水する排水管２７及び排水ポンプ２９がそれぞれ装着される。
【０００４】
又、タブ２１の後方側下方には、該タブ２１に一方端が連結され、他方端は上方向に延長された凝縮管４１が装着され、該凝縮管４１の上方端には、凝縮管４１を通してタブ２１の内部空気を引出する送風ファン４７が装着されるが、該送風ファン４７の排出側は、タブ２１の上方に連結された空気管４８の一方端に結合され、該空気管４８の内部には空気を加熱するヒータ４９が装着されて、その空気管４８の他方端が前記タブ２１の出入口に連結されている。
【０００５】
一方、凝縮管４１は、内部にタブ２１から引出された空気及び凝縮水が流動するようにほぼ’Ｌ’字状に屈曲形成され、上部に、送風ファン４７に係合されるファン結合部４２が形成される。又、該ファン結合部４２の一方側には、凝縮水を供給する凝縮水供給管４３の一方端が係合され、該凝縮水供給管４３が係合された凝縮管４１の外側壁面は、供給された凝縮水を収容し得るように凝縮水収容部４４が拡大形成されている。又、凝縮管４１の下方端は、前記タブ２１の下方に連結された連結コルゲート管４５に連結される。
【０００６】
このように構成された従来洗濯乾燥機の凝縮装置の動作においては、脱水行程の終了後、乾燥行程が開始されて送風ファン４７が駆動されると、タブ２１の内部から空気が引出されて凝縮管４１に沿って上方向に流動される。このとき、その上方向に流動された空気は、先ず、空気管４８に沿って流動して、ヒータ４９により加熱されてタブ２１の内部に流入される。
【０００７】
タブ２１に流入された高温の空気は、洗濯物の水分を含有して凝縮管４１に沿って流動され、凝縮水供給管４３を通して供給された凝縮水により冷却及び凝縮される。次いで、水分の除去された乾燥した低温の空気はヒータ４９により加熱され、該加熱された高温の乾燥した空気は、タブ２１の内部に流入されて洗濯物の水分を含有し、凝縮管４１で凝縮されることで、洗濯物の乾燥作用が行われる。
【０００８】
然るに、このような従来の洗濯乾燥機においては、凝縮管４１の構造が比較的複雑で製作が容易でなく、空気の流れが円滑でないため、乾燥性能が低下するという不都合な点があった。
又、凝縮水供給管４３から供給された凝縮水は、図１４に示したように、凝縮管４１の一方側領域を沿って下方に流動されることで、タブ２１から引出された空気は、凝縮管４１の他方側領域を通して上方向に流動されることで、凝縮作用が行われるようになっているが、その構造が極めて簡単であるため、凝縮効率及び乾燥性能が低下するという不都合な点があった。
【発明の開示】
【発明が解決しようとする課題】
【０００９】
本発明は、このような従来の課題に鑑みてなされたもので、凝縮効率を高めて乾燥性能を向上し得る洗濯乾燥機の凝縮装置を提供することを目的とする。
【課題を解決するための手段】
【００１０】
このような目的を達成するため、本発明に係る洗濯乾燥機の凝縮装置においては、内部に収容空間が形成されたケーシングと、該ケーシングの内部に収容されるタブと、前記タブに連結され、該タブの内部に空気が流入される空気管と、該空気管を沿って空気が流動するように送風する送風ファンと、前記空気管の空気を前記タブの流入前に加熱するヒータと、を包含して構成される洗濯乾燥機であって、一方端は前記タブの下部に連結され、他方端は上方向に延長されて装着された凝縮管と、該凝縮管の上部領域に連結されることで、該凝縮管の内部に凝縮水を供給する凝縮水供給管と、前記凝縮管の内側壁面を沿って相互離隔して複数の分散孔が穿孔形成され、前記凝縮水の流動方向を沿って前記凝縮水供給管の下方側に配置されて、前記凝縮水供給管から供給された凝縮水を分散して落下する凝縮水収容分散部と、を含んで構成されることを特徴とする。
【００１１】
このとき、前記凝縮水収容分散部は、中央に空気が通過する通気孔が穿孔形成された環状の内側リブと、該内側リブの半径方向に所定径及び間隔を有するようにその内側リブと同心に拡大形成された外側リブと、それら外側リブと内側リブ間の下方が相互連結して形成された連結底部と、該連結底部上面に前記凝縮水が流通されることで、該凝縮水が分散落下するように、所定間隔を有して複数穿孔形成された分散孔と、を包含して構成されることを特徴とする。
【００１２】
又、前記凝縮水収容分散部材の中央には、前記内側リブの内側に空気の通過する通気孔が穿孔形成され、該通気孔の外側と前記内側リブ間には、凝縮水を分散落下する少なくとも一つの内側分散部が形成され、該内側分散部の底面には前記連結低部が形成されることを特徴とする。
又、前記連結底部には、凝縮水が落下する少なくとも一つの貫通孔が穿孔形成されることを特徴とする。
【００１３】
又、前記凝縮水供給管は、前記外側リブの接線方向を沿って連結され、前記連結底部は、前記内側リブの周り方向を沿って前方に向かうほど、前記内側分散部に接近して形成されることを特徴とする。
又、前記凝縮管は、断面円状を有して、前記凝縮水供給管の連結領域から上下方向に所定長さ延長されることを特徴とする。
又、前記凝縮管の下部一方端が連結され、他方端は前記タブの下部に連結される連結コルゲート管を更に含むことを特徴とする。
【００１４】
又、前記連結コルゲート管には、前記凝縮水が排出されるように前記タブの排水管に連結排水管が連結されることを特徴とする。
又、前記凝縮管から拡大された流動断面積を有して形成され、一方側は前記凝縮管に連結され、他方側は前記送風ファンの吸入側に連結され、一方側に前記凝縮水供給管が結合される凝縮水給水口が穿孔形成されたチャンバーを更に含むことを特徴とする。
【００１５】
又、前記凝縮水収容分散部は、中央に空気が通過するように所定直径の円孔が穿孔形成され、下方端が前記チャンバーの内部に接触されて、前記チャンバーと前記凝縮管の周囲を沿って凝縮水が流動されるように案内する円筒状に形成された凝縮水ガイドであることを特徴とする。
又、前記凝縮水ガイドの上部には、前記円筒部の上方端から半径方向を沿って外側に傾斜して拡張され、前記凝縮水供給管から供給されて凝縮水が前記空気の通過される中央領域にあふれ流れるように案内する案内傾斜部が形成されることを特徴とする。
【００１６】
又、前記凝縮管には、内側壁から中心方向に突出された複数の突出部が所定間隔を有してそれぞれ突成されることを特徴とする。
又、前記突出部は、内側壁面を沿って相互延長されたリブであることを特徴とする。
又、前記突出部は、前記凝縮管の上下方向を沿って螺旋状に形成されることを特徴とする。
又、前記突出部は、突出方向を沿って中心側に向かうほど上方向に傾斜して形成されることを特徴とする。
【発明の効果】
【００１７】
以下に説明するように、本発明に係る洗濯乾燥機の凝縮装置おいては、凝縮水供給管から供給された凝縮水を凝縮管の内部に分散する凝縮水収容分散部を設けて、凝縮水を分散することで、凝縮効率を高めて乾燥性能を向上し得るという効果がある。
【発明を実施するための最良の形態】
【００１８】
以下、本発明の実施の形態に対し、図面に基づいて説明する。
図１は本発明に係る洗濯乾燥機の凝縮装置の第１実施形態を示した縦断面図で、図２は図１の凝縮部拡大図で、図３は図１のチャンバーを示した斜視図で、図４は図１の凝縮水ガイドを示した斜視図である。このとき、前記構成と同様な部分に対しては同様な符号を付し、それに対する説明は省略する。
【００１９】
図示されたように、本発明に係る洗濯乾燥機は、内部に収容空間を形成したケーシング１１と、該ケーシング１１の内部で洗濯水が収容されるタブ２１と、該タブ２１の内部に回転自在に収容装着された回転ドラム３１と、該回転ドラム３１を回転駆動するドラム駆動モータ３３と、を含んで構成されている。
又、タブ２１は、一方側が開放された筒状に形成され、ケーシング１１の内部に開放領域が上方向に傾斜して装着され、後方領域には本発明に係る洗濯乾燥機の凝縮装置の第１実施形態が装着される。
【００２０】
又、本発明に係る洗濯乾燥機の凝縮装置は、前記タブ２１に一方端が連結された凝縮管５１と、一方端はタブ２１の前面上部領域に連結され、他方端は凝縮管５１に連結された空気管４８と、それら凝縮管５１と空気管４８間に配置されて、タブ２１の内部空気を引出して凝縮管５１及び空気管４８を経由し、再びタブ２１に復帰されるように送風を行う送風ファン４７と、凝縮管５１に凝縮水を供給する凝縮水供給管４３と、該凝縮水供給管４３から提供された凝縮水を凝縮管５１の内部に分散して供給する凝縮水ガイド６１と、から構成される。
【００２１】
又、凝縮管５１は、断面円状に形成されて、ケーシング１１の内部に上下方向に屈曲形成された垂直区間部５２ａ及び傾斜区間部５２ｂから形成される。
且つ、前記傾斜区間部５２ｂの一方端は、タブ２１の下部後方側に連結された連結コルゲート管４５の他方端に連結され、該連結コルゲート管４５の下部には、凝縮水が排出される連結排水管４６が連結され、前記タブ２１の下部に排水管２７が連結されて、該排水管２７に前記連結排水管４６が連結されている。
一方、凝縮管５１の上方端には、凝縮管５１より拡大された流動断面積を有するチャンバー５２ｃが形成され、該チャンバー５２ｃの内部には凝縮水ガイド６１が収容装着される。
【００２２】
又、チャンバー５２ｃの下部は、凝縮管５１より流動断面積が増大するように大径に傾斜された傾斜部５５が形成され、チャンバー５２ｃの上部には、送風ファン４７が装着されるファン結合部５８が延長形成される。且つ、傾斜部５５の一方側には、凝縮水供給管４３が連結されるように給水口５７が穿孔形成され、前記傾斜部５５の下部内側には、凝縮水供給管４３から供給された凝縮水を収容すると共に、分散して落下させる円環状の凝縮水収容分散部６０が形成され、該凝縮水収容分散部６０には、凝縮水が落下するように複数の凝縮水分散溝６４が内側壁面に相互離隔して切削形成される。
【００２３】
又、凝縮水ガイド６１は、前記凝縮管５１から上方向に流動される空気が通過される通気口６３が穿孔形成された円筒状の円筒部６２ａと、該円筒部６２ａの上方から継続傾斜して延長拡大された案内傾斜部６２ｂと、から形成され、前記円筒部６２ａの下面は、凝縮管５１の径とほぼ同様な直径を有して形成されることで、その円筒部６２ａの下面が前記凝縮水収容分散部６０の上面に接触されるように配置される。
【００２４】
このように凝縮装置が構成されることで、脱水行程の終了後、乾燥行程が開始されて送風ファン４７が駆動されると、タブ２１の内部空気は、連結コルゲート管４５を通して引出されて、凝縮管５１に沿って上方向に流動され、その上方向に流動された空気は、送風ファン４７を経由してヒータ４９により加熱され、該加熱された高温の空気はタブ２１の内部に流入されて、洗濯物の水分を含有して連結コルゲート管４５を通して引出され、凝縮管５１を沿って上方向に流動される。
【００２５】
一方、凝縮水供給管４３からチャンバー５２ｃの内部に供給された凝縮水は、凝縮水ガイド６１の周り方向に沿って流動されて、凝縮水ガイド６１、チャンバー５２ｃ及び凝縮水収容分散部６０間の空間に所定量収容され、一部は凝縮水収容分散部６０に形成された凝縮水分散溝６４を通して凝縮管５１の全周面に均一に落下される。よって、タブ２１から引出された高温多湿の空気は、迅速に熱交換されて凝縮され、空気中の水分は、凝縮水と一緒に落下して、連結コルゲート管４５の底部領域に形成された連結排水管４６を通して排水管２７に流動し、排水ポンプ２９の駆動により外部に排出される。
【００２６】
又、凝縮管５１を沿って上方向に流動された乾燥した空気は、ヒータ４９により加熱されて高温乾燥した空気となってタブ２１の内部に流入され、タブ２１の内部で洗濯物の水分を含有して引出され、前記過程を反復することで洗濯物の乾燥作用が行われる。
【００２７】
図５は本発明に係る洗濯乾燥機の凝縮装置の第２実施形態を示した縦断面図で、図６及び図７は図６の凝縮水収容分散部材の斜視図及び平面図である。前述した構成と同様な部分には同様な符号を与え、それに対する説明を省略する。図示されたように、本発明に係る洗濯乾燥機の凝縮装置は、一方側がタブ２１に連通された凝縮管５１と、一方端はタブ２１の前面上部領域に連通され、他方端は凝縮管５１に連通された空気管４８と、それら凝縮管５１と空気管４８間に配置されて、タブ２１の内部空気を引出して凝縮管５１及び空気管４８を経由し、再びタブ２１に復帰されるように送風する送風ファン４７と、凝縮管５１に凝縮水を供給する凝縮水供給管４３と、該凝縮水供給管４３から提供された凝縮水を凝縮管５１の内部に分散して供給する凝縮水収容分散部材７１と、を含んで構成されている。
【００２８】
又、凝縮水収容分散部材７１は、中央に凝縮管５１を沿って上方向に空気が通過される通気口が穿孔形成された内側リブ７２と、該内側リブ７２と所定間隔の凝縮水収容空間を有して外側に離隔配置された外側リブ７４と、それら内側リブ７２及び外側リブ７４の各下方端に連結された連結底部７７と、から形成される。
又、外側リブ７４の一方側には、凝縮水供給管４３から提供された凝縮水が流入される流入口７５が切削形成され、連結底部７７の上面には、凝縮水が落下して凝縮管５１の周り方向を沿って均一に分散されるように、周り方向を沿って所定間隔を有して複数の分散孔７８が穿孔形成されている。
【００２９】
このように構成されることで、凝縮水供給管４３から供給された凝縮水は、流入口７５を通して内側リブ７２、外側リブ７４及び連結底部７７により形成された凝縮水収容空間の内部に収容され、連結底部７７の分散孔７８を通して凝縮管５１の内部に均一に分散して落下される。
又、図８は本発明に係る洗濯乾燥機の凝縮装置の第３実施形態の凝縮水収容分散部材を示した平面図で、図９は図８のＡ−Ａ線断面図で、図１０は本発明に係る洗濯乾燥機の凝縮装置の第３実施形態の凝縮水収容分散部材の他の例を示した平面図である。
【００３０】
図示されたように、第３実施形態の凝縮水収容分散部材８１は、チャンバー５２ｃの内部に空気が通過される通気口８８を中間に置いて相互同心的に穿孔配置され、周り方向を沿って凝縮水を均一に分散して落下する外側分散部８２ａ及び内側分散部８２ｂと、それら外側分散部８２ａ及び内側分散部８２ｂに相互連通して形成される複数の連結流路部８２ｃと、から構成される。
【００３１】
又、外側分散部８２ａ及び内側分散部８２ｂは、相互同心的に立設配置された各内側リブ８３ｂ、８５ｂ及び外側リブ８３ａ、８５ａと、それら内側リブ８３ｂ、８５ｂ及び外側リブ８３ａ、８５ａの各底面に連結された連結低部８３ｃ、８５ｃと、から構成され、それら連結低部８３ｃ、８５ｃには、凝縮水が落下される複数の分散孔８６が放射状に穿孔形成される。且つ、前記外側分散部８２ａの外側リブ８３ａの一方側には、凝縮水供給管４３から提供された凝縮水が流入される流入口８７が穿孔形成され、前記内側分散部８２ｂの中央には空気が通過する通気孔８９が穿孔形成される。
【００３２】
又、前記連結流路部８２ｃは、凝縮水が流動されるように断面’Ｕ’字状に形成されて、外側分散部８２ａに流入された凝縮水が内側分散部８２ｂに流動されるように、一方端は外側分散部８２ａに連通され、他方端は内側分散部８２ｂに連通され、その連結流路部８２ｃの底部面には、凝縮水が落下されるように複数の分散孔８６が穿孔形成される。
このとき、凝縮水収容分散部材８１は、図１０に示したように、凝縮水供給管４３が外側分散部９２ａの接線方向を沿って連結され、外側分散部９２ａの周り方向の内側を沿って凝縮水が旋回しながら、内側分散部９２ｂに流入されるように湾曲状に屈曲された複数の連結流路部９２ｃを形成して凝縮水収容分散部材９１を構成することもできる。
【００３３】
このように構成することで、凝縮水供給管４３から提供された凝縮水は、流入口８７を通して外側分散部８２ａの内部に流入され、該流入された凝縮水中、一部は前記連結低部８３ｃの分散孔８６を通して凝縮管５１の内部に分散して落下される。又、流入された凝縮水中、他の部は各連結流路部８２ｃに流入され、該連結流路部８２ｃの底部の分散孔を通して落下され、残りは内側分散部８２ｂに流入されて落下される。
【００３４】
図１１は本発明に係る洗濯乾燥機の凝縮装置の第４実施形態を示した縦断面図で、図１２は図１１の突出部領域を示した拡大図である。図示されたように、本発明に係る洗濯乾燥機の凝縮装置の第４実施形態は、タブ２１と該タブ２１に連結された凝縮管５１と、前記タブ２１の前面上方に一方端が連結され、他方端は前記凝縮管５１に連結された空気管４８と、それら凝縮管５１と空気管４８間に配置されて、タブ２１の内部空気を引出して、凝縮管５１及び空気管４８を経由し、再びタブ２１に復帰されるように送風する送風ファン４７と、凝縮管５１に凝縮水を供給する凝縮水供給管４３と、前記凝縮管５１の上部に係合されて、該凝縮水供給管４３から提供された凝縮水を凝縮管５１の内部に分散して供給する凝縮水収容分散部６０及び凝縮水ガイド６１と、凝縮管５１の内側壁に中央方向に突出された複数の突出部５９と、を含んで構成されるが、このとき、前記凝縮水収容分散部６０及び凝縮水ガイド６１は、前述した各実施形態の凝縮水収容分散部材７１、８１、９１に代替して構成することもできる。
【００３５】
即ち、凝縮管５１は、円筒パイプ状に形成されて、上下方向に屈曲された垂直区間部５２ａ及び傾斜区間部５２ｂから形成される。
且つ、前記垂直区間部５２ａの上部には、チャンバー５２ｃが形成され、該チャンバー５２ｃの内部には、凝縮水を分散して落下する凝縮水収容分散部６０及び凝縮水ガイド６１が係合される。
又、垂直区間部５２ａの内部には、内側壁面から中心方向に所定幅Ｗ突出されて、周縁方向を沿って螺旋状に相互離隔された複数の突出部５９が形成される。且つ、それら突出部５９は上方側から落下される凝縮水を垂直区間部５２ａの内壁に案内するように、突出方向を沿って突出端が上方側に所定傾斜角（θ）を有して突成される。
【００３６】
このように構成されることで、乾燥行程が開始されると、凝縮水供給管４３から供給された凝縮水は、凝縮水収容分散部６０により分散されて凝縮管５１の内部に落下され、該落下された凝縮水中、一部は突出部５９の上方面に落下されて、該突出部５９の上方面及び凝縮管５１の内壁を沿って流動しながら落下する動作を反復するようになる。
【００３７】
一方、送風ファン４７の駆動によりタブ２１から引出された空気は、連結コルゲート管４５を経由して、凝縮管５１を沿って上方向に流動され、該上方向に流動された空気は、凝縮水ガイド６１から落下される凝縮水及び突出部５９と接触されながら迅速に熱交換されて凝縮され、水分の除去された乾燥した空気は、チャンバー５２ｃ及び送風ファン４７を経由して流動され、ヒータ４９により加熱された後、タブ２１の内部に流入されて洗濯物の水分を含有し、再びタブ２１の外部に引出される動作を反復することで乾燥作用が行われる。
【図面の簡単な説明】
【００３８】
【図１】本発明に係る洗濯乾燥機の凝縮装置の第１実施形態を示した縦断面図である。
【図２】図１の凝縮部拡大図である。
【図３】図１のチャンバーを示した斜視図である。
【図４】図１の凝縮水ガイドを示した斜視図である。
【図５】本発明に係る洗濯乾燥機の凝縮装置の第２実施形態を示した縦断面図である。
【図６】図５の凝縮水収容分散部材を示した斜視図及び平面図である。
【図７】図５の凝縮水収容分散部材を示した斜視図及び平面図である。
【図８】本発明に係る洗濯乾燥機の凝縮装置の第３実施形態の凝縮水収容分散部材を示した平面図である。
【図９】図８のＡ−Ａ線断面図である。
【図１０】本発明に係る洗濯乾燥機の凝縮装置の第３実施形態の凝縮水収容分散部材の他の例を示した平面図である。
【図１１】本発明に係る洗濯乾燥機の凝縮装置の第４実施形態を示した縦断面図である。
【図１２】図１１の突出部領域を示した拡大図である。
【図１３】従来の洗濯乾燥機を示した縦断面図である。
【図１４】図１３の凝縮装置領域を示した拡大断面図である。
【符号の説明】
【００３９】
１１…ケーシング
１３…ドア
２１…タブ
２７…排水管
２９…排水ポンプ
３１…回転ドラム
３３…ドラム駆動モータ
４３…凝縮水供給管
４５…連結コルゲート管
４６…連結排水管
４７…送風ファン
４８…空気管
４９…ヒータ
５１…凝縮管
５２ａ…垂直区間部
５２ｂ…傾斜区間部
５２ｃ…チャンバー
５７…給水口
５８…ファン結合部
６１…凝縮水ガイド
【図１】
2005124787.tif 000003
【図２】
2005124787.tif 000004
【図３】
2005124787.tif 000005
【図４】
2005124787.tif 000006
【図５】
2005124787.tif 000007
【図６】
2005124787.tif 000008
【図７】
2005124787.tif 000009
【図８】
2005124787.tif 000010
【図９】
2005124787.tif 000011
【図１０】
2005124787.tif 000012
【図１１】
2005124787.tif 000013
【図１２】
2005124787.tif 000014
【図１３】
2005124787.tif 000015
【図１４】
2005124787.tif 000016